(57)【要約】【課題】吸込む汚れの種類に応じて清掃要請の報知までの時間を調整する使い勝手の良いレンジフードを提供することを目的とする。【解決手段】加熱調理器２の上方に設置され、屋外に連通した吐出口３と、空気を吸込む吸込口４と、吐出口３と吸込口４とを結ぶ通風路内に空気を吸込み排気する排気ファン５と、吸込んだ汚れを捕集するフィルタ６と、吸込口４を通過する汚れの粒子径を区別する粒子径検知手段７と、吸込口４から吸込む空気の温度を検知する温度検知手段８と、レンジフード周辺の温度を検知する周囲温度検知手段９と、粒子径検知手段７と温度検知手段８と周囲温度検知手段９の情報をもとに、吸込口４から吸込んだ汚れの程度を算出する制御部１１と、制御部１１からの信号をもとにフィルタの清掃要請の報知動作を行う報知手段とを備えることで、フィルタの汚れ量に即した清掃要請のための報知動作が可能であるレンジフード１が得られる。【選択図】図１
2013061092.tif 000002
【特許請求の範囲】
【請求項１】
加熱調理器の上方に設置され、屋外に連通した吐出口と、空気を吸込む吸込口と、前記吐出口と前記吸込口とを結ぶ通風路内に空気を吸込み排気する排気ファンと、吸込んだ汚れを捕集するフィルタと、吸込口を通過する汚れの粒子径を区別する粒子径検知手段と、前記吸込口から吸込む空気の温度を検知する温度検知手段と、レンジフード周辺の温度を検知する周囲温度検知手段と、前記粒子径検知手段と温度検知手段と周囲温度検知手段の情報をもとに、前記吸込口から吸込んだ汚れの程度を算出する制御部と、前記制御部からの信号をもとにフィルタの清掃要請の報知動作を行う報知手段とを備えたレンジフードであって、前記制御部は、前記温度検知手段から得られる信号が前記周囲温度検知手段から得られる信号より大きいときは吸込んだ空気が調理中のものであると判別し、小さいときは調理中のものではないと判別する吸込空気判別手段と、前記粒子径検知手段と吸込空気判別手段からの信号の組み合わせによって吸込む汚れの程度を判別し、粒子径の大きい汚れ及び調理中のものであると判断した汚れに対してより大きな重み付けをして汚れの程度を判別する汚れ程度判別手段と、前記汚れ程度判別手段からの汚れ程度の信号をもとに汚れ量を累積する汚れ量記憶部と、前記汚れ量記憶部に累積された汚れ量を予め設定したフィルタの清掃要請を判断させる所定値と比較し、前記所定値に達したときに前記報知手段に信号を送る汚れ累積値比較手段を備え、フィルタの汚れ具合に即した清掃要請のための報知動作を行うことを特徴とするレンジフード。
【請求項２】
温度検知手段は、レンジフードの吸込み部を通過する気流の温度のみを検知できるように配置し、前記温度検知手段から得られる信号と周囲温度検知手段から得られる信号とを相対的に比較することで、吸込み部を通過する気流が調理中のものであるかを正確に判断することを特徴とする請求項１記載のレンジフード。
【請求項３】
フィルタは、フィルタの清掃が行われたことを検知するフィルタ清掃検知手段を備え、前記フィルタ清掃検知手段からの信号をもとに、フィルタが清掃の為に取り外されるまで報知動作を継続することを特徴とする請求項１記載のレンジフード。
【請求項４】
フィルタ清掃検知手段からの信号を受けて、前記データ記憶部に格納されている汚れの累積値をリセットする汚れ量初期化手段を備えており、フィルタの清掃をした時点で、前記汚れ量初期化手段を用いて前記記憶部に累積した汚れ量をリセットすることで、フィルタの汚れ量を初期状態に戻すことを特徴とする請求項１記載のレンジフード。
【発明の詳細な説明】
【技術分野】
【０００１】
本発明は、調理時に発生する空気の汚れを判別し、フィルタの清掃要請報知動作を行うレンジフードに関するものである。
【背景技術】
【０００２】
従来、この種のフィルタを要する機器は、機器の累積使用時間が所定値に達すると使用者にフィルタの清掃要請のための報知動作を行なっていた（例えば、特許文献１参照）。
【先行技術文献】
【特許文献】
【０００３】
【特許文献１】特開２００２−４５６３３号公報
【発明の概要】
【発明が解決しようとする課題】
【０００４】
従来の機器においては、機器の累積使用時間が所定値に達すると使用者にフィルタの清掃要請のための報知動作を行なっており、フィルタの清掃要請の報知動作がフィルタの汚れの原因となる吸込んだ空気の種類とは無関係に決められているので、フィルタの清掃要請の報知は必ずしもフィルタの汚れ具合と一致するものではなく、正確な報知時間ではなかったという課題を有していた。特にレンジフードにおいては、フィルタの汚れの主原因として油煙があげられるため、レンジフードが吸込む汚れが調理中のものであるかを判断し、フィルタの汚れ具合を把握する技術が有効である。
【０００５】
そこで本発明は、上記従来の課題を解決するものであり、フィルタの清掃要請の報知をフィルタの汚れ具合と一致させることができるレンジフードを提供することを目的とする。
【課題を解決するための手段】
【０００６】
そして、この目的を達成するために、本発明におけるレンジフードは、加熱調理器の上方に設置され、屋外に連通した吐出口と、空気を吸込む吸込口と、前記吐出口と前記吸込口とを結ぶ通風路内に空気を吸込み排気する排気ファンと、吸込んだ汚れを捕集するフィルタと、吸込口を通過する汚れの粒子径を区別する粒子径検知手段と、前記吸込口から吸込む空気の温度を検知する温度検知手段と、レンジフード周辺の温度を検知する周囲温度検知手段と、前記粒子径検知手段と温度検知手段と周囲温度検知手段の情報をもとに、前記吸込口から吸込んだ汚れの程度を算出する制御部と、前記制御部からの信号をもとにフィルタの清掃要請の報知動作を行う報知手段とを備えたレンジフードであって、前記制御部は、前記温度検知手段から得られる信号が前記周囲温度検知手段から得られる信号より大きいときは吸込んだ空気が調理中のものであると判別し、小さいときは調理中のものではないと判別する吸込空気判別手段と、前記粒子径検知手段と吸込空気判別手段からの信号の組み合わせによって吸込む汚れの程度を判別し、粒子径の大きい汚れ及び調理中のものであると判断した汚れに対してより大きな重み付けを行う汚れ程度判別手段と、
前記汚れ程度判別手段からの信号をもとにデータを累積するデータ記憶部と、前記データ記憶部に累積されたデータを予め設定したフィルタの清掃要請を判断させる所定値と比較し、前記所定値に達したときに前記報知手段に信号を送る汚れ累積値比較手段を備え、フィルタの汚れ具合に即した清掃要請のための報知動作を行うという特徴を備え、これにより前記の目的を達成するものである。
【発明の効果】
【０００７】
本発明によれば、加熱調理器の上方に設置され、屋外に連通した吐出口と、空気を吸込む吸込口と、前記吐出口と前記吸込口とを結ぶ通風路内に空気を吸込み排気する排気ファンと、吸込んだ汚れを捕集するフィルタと、吸込口を通過する汚れの粒子径を区別する粒子径検知手段と、前記吸込口から吸込む空気の温度を検知する温度検知手段と、レンジフード周辺の温度を検知する周囲温度検知手段と、前記粒子径検知手段と温度検知手段と周囲温度検知手段の情報をもとに、前記吸込口から吸込んだ汚れの程度を算出する制御部と、前記制御部からの信号をもとにフィルタの清掃要請の報知動作を行う報知手段とを備えたレンジフードであって、前記制御部は、前記温度検知手段から得られる信号が前記周囲温度検知手段から得られる信号より大きいときは吸込んだ空気が調理中のものであると判別し、小さいときは調理中のものではないと判別する吸込空気判別手段と、前記粒子径検知手段と吸込空気判別手段からの信号の組み合わせによって吸込む汚れの程度を判別し、粒子径の大きい汚れ及び調理中のものであると判断した汚れに対してより大きな重み付けを行う汚れ程度判別手段と、前記汚れ程度判別手段からの信号をもとにデータを累積するデータ記憶部と、前記データ記憶部に累積されたデータを予め設定したフィルタの清掃要請を判断させる所定値と比較し、前記所定値に達したときに前記報知手段に信号を送る汚れ累積値比較手段を備え、フィルタの汚れ具合に即した清掃要請のための報知動作を行うという特徴を有することで、前記粒子径検知手段と吸込空気判別手段からの信号の組み合わせにより重み付けを行うことで、吸込む汚れの種類に応じて汚れを判断すること、すなわちフィルタの汚れの主原因である油煙を多く含む調理中の汚れを判断することが可能となり、フィルタの汚れの程度に即したフィルタの清掃要請の報知を行うことができるレンジフードを提供できる。
【図面の簡単な説明】
【０００８】
【図１】本発明の実施の形態のレンジフードの概観図
【図２】同実施の形態のレンジフードの制御構成図
【図３】同実施の形態の動作を示すフローチャート
【発明を実施するための形態】
【０００９】
本発明の請求項１記載のレンジフードは、加熱調理器の上方に設置され、屋外に連通した吐出口と、空気を吸込む吸込口と、前記吐出口と前記吸込口とを結ぶ通風路内に空気を吸込み排気する排気ファンと、吸込んだ汚れを捕集するフィルタと、吸込口を通過する汚れの粒子径を区別する粒子径検知手段と、前記吸込口から吸込む空気の温度を検知する温度検知手段と、レンジフード周辺の温度を検知する周囲温度検知手段と、前記粒子径検知手段と温度検知手段と周囲温度検知手段の情報をもとに、前記吸込口から吸込んだ汚れの程度を算出する制御部と、前記制御部からの信号をもとにフィルタの清掃要請の報知動作を行う報知手段とを備えたレンジフードであって、前記制御部は、前記温度検知手段から得られる信号が前記周囲温度検知手段から得られる信号より大きいときは吸込んだ空気が調理中のものであると判別し、小さいときは調理中のものではないと判別する吸込空気判別手段と、前記粒子径検知手段と吸込空気判別手段からの信号の組み合わせによって吸込む汚れの程度を判別し、粒子径の大きい汚れ及び調理中のものであると判断した汚れに対してより大きな重み付けをして汚れの程度を判別する汚れ程度判別手段と、前記汚れ程度判別手段からの汚れ程度の信号をもとに汚れ量を累積する汚れ量記憶部と、前記汚れ量記憶部に累積された汚れ量を予め設定したフィルタの清掃要請を判断させる所定値と比較し、前記所定値に達したときに前記報知手段に信号を送る汚れ累積値比較手段を備え、フィルタの汚れ具合に即した清掃要請のための報知動作を行うという特徴を有する。
【００１０】
これにより、汚れ程度判別手段は、前記粒子径検知手段と吸込空気判別手段からの信号の組み合わせにより重み付けして汚れの程度の判別を行うことで、調理中の空気と調理中のないときの空気と汚れ粒子径に応じて汚れの程度を判断し、この汚れの程度をもとに汚れ量を汚れ量記憶部に累積することとなり、汚れ累積比較手段は、汚れ量の累積値が所定値に達したときに、報知手段によって清掃要請のための報知動作をおこなうこととなるので、フィルタの汚れの主原因である油煙を多く含む調理中の汚れを判断することも可能となり、フィルタの汚れの程度に即したフィルタの清掃要請の報知を行うことができるという効果がある。
【００１１】
また、請求項２記載のレンジフードは、温度検知手段は、レンジフードの吸込み部を通過する気流の温度のみを検知できるように配置し、前記温度検知手段から得られる信号と周囲温度検知手段から得られる信号とを相対的に比較することで、吸込み部を通過する気流が調理中のものであるかを正確に判断する吸込空気判別手段を有する。
【００１２】
これにより、吸込空気判別手段は、前記二つの温度検知手段から得られる信号を相対的に比較して、吸込んだ気流が調理中のものであることを判断する作用を有するので、周囲温度に関わらず、吸込口を通る気流が調理中のものであるか否か正確に判断できるという効果がある。
【００１３】
また、請求項３記載のレンジフードは、フィルタの清掃が行われたことを検知するフィルタ清掃検知手段を備え、前記フィルタ清掃検知手段からの信号をもとに、フィルタが清掃の為に取り外されるまで報知動作を継続することを特徴とする。
【００１４】
これにより、報知手段が作動してから使用者がフィルタの清掃を行うまで、使用者に清掃要請の喚起をし続ける作用を有するので、フィルタが汚れたまま使用者が使い続けることを防止することができる。
【００１５】
また、請求項４記載のレンジフードは、フィルタ清掃検知手段からの信号を受けて、前記データ記憶部に格納されている汚れ量をリセットする汚れ量初期化手段を備えており、フィルタの清掃をした時点で、前記汚れ値累積値初期化手段を用いて前記記憶部に累積した汚れ量をリセットすることで、フィルタの汚れ量を初期状態に戻すことを特徴とする。
【００１６】
これにより、使用者がフィルタを外して清掃を行ったと判断すると、汚れ量をゼロに戻す作用を有するので、使用者がフィルタの清掃を行った時点でフィルタの使用状況をリセットすることで、再使用時のフィルタの清掃要請の報知動作を正確に行うことができる。
【００１７】
以下、本発明の実施の形態について図面を参照しながら説明する。
【００１８】
（実施の形態１）
図１に示すように、レンジフード１は、加熱調理器２の上方に設置され、屋外に連通した吐出口３と、空気を吸込む吸込口４と、吐出口３と吸込口４とを結ぶ通風路内に空気を吸込み排気する排気ファン５と、吸込んだ汚れを捕集するフィルタ６を備えている。
【００１９】
このレンジフード１の吸込口４には、吸込口４を通過する汚れの粒子径が「大」であるか「小」であるかを区別する粒子径検知手段７と、吸込口４から吸込む空気の温度を検知する温度検知手段８を備えている。ここで、粒子径検知手段７とは、空気中の浮遊物質に対してＬＥＤより赤外線を照射し、浮遊物質の反射光を受光素子で電圧検出するデバイスであり、粒子径により受光素子で検出する電圧が異なるため、粒子径を検出することができる。また、レンジフード１の側面には、レンジフード１周辺の温度を検知する周囲温度検知手段９を備えている。また、フィルタ６には、フィルタの清掃が行われたことを検知するフィルタ清掃検知手段１０を備えている。例えば、フィルタ清掃検知手段１０はフィルタ６との接点にスイッチを備えた構成となっており、フィルタが外れたことをスイッチのＯＮ／ＯＦＦの変化によって判断することでフィルタの清掃が行なわれたことを検知できるものである。
【００２０】
また、レンジフード１の内部には、粒子径検知手段７と温度検知手段８と周囲温度検知手段９の情報をもとに、吸込口４から吸込んだ汚れの程度を算出する制御部１１と、制御部１１からの信号をもとにフィルタの清掃要請の報知動作を行う報知手段１２とを備えている。また制御部１１は、図２に示すように温度検知手段８から得られる信号と周囲温度検知手段９から得られる信号とを比較し、前記温度検知手段８から得られる信号が周囲温度検知手段９から得られる信号よりも大きいときは吸込んだ空気が「調理中のもの」であると判別し、小さいときは「調理中のものではない」と判別する吸込空気判別手段１３と、粒子径検知手段７と吸込空気判別手段１３から得られる信号の組み合わせによって吸込む汚れの程度を判別し、粒子径の大きい汚れ及び調理中のものであると判断した汚れに対してより大きな重み付けをして汚れの程度を判別する汚れ程度判別手段１４と、汚れ程度判別手段１４からの信号をもとに累積した汚れ量を記憶する汚れ量記憶部１５と、汚れ量記憶部１５に累積された汚れ量を予め設定したフィルタの清掃要請を判断させる所定値と比較し、所定値に達したときに報知手段１２に信号を送る汚れ量比較手段１６と、フィルタ清掃検知手段１０からの信号を検知し、制御部１１に格納されている汚れ量をリセットする汚れ量初期化手段１７を備えている。また、汚れ量記憶部１５は不揮発性とすることで、電源の切断に対しても汚れの程度を喪失することを防止できる構成を有する。これにより、電源の切断や停電に関わらず、現在のフィルタの使用状況に対する汚れの程度を記憶させることができ、正確な報知動作をすることができる。
【００２１】
上記構成において、レンジフードの動作およびフィルタの清掃要請の報知動作を説明する。レンジフード１の電源を入れると、排気ファン５が回転し、空気が吸込口４に流れ込み、吸込口４を通過した汚れはフィルタ６に付着することとなる。
【００２２】
吸い込んだ空気は吸込口４を通過する際に、粒子径検知手段７によって、図３のフローチャートのＳＴＥＰ１に示すように粒子が検出される。
【００２３】
粒子径検知手段７によって、粒子が検出された場合は、汚れた空気を吸込んでいると判断してＳＴＥＰ２へ進み、検知されなかった場合は汚れていない空気を吸込んでいると判断して汚れ量の累積は行わない。
【００２４】
粒子径検知手段７が汚れた空気を吸込んでいると判断すると、汚れの粒子径の大小を判別する。つまり、粒子径の大きさはフィルタの汚れの程度に比例するため、粒子径検知手段７から得られる信号をもとに、粒子の大きさが「大」であるか「小」であるかを区別する。
【００２５】
粒子形の大きさが区別されると、ＳＴＥＰ３に示すように、粒子径検知手段７によって粒子の大きさが「大」であると判断した場合、粒子径の値に「Ａ」の値を与え、粒子の大きさが「小」であると判断した場合、粒子径の値に「Ｂ」の値を与える。
【００２６】
調理中に吸込む空気は高温であり、油煙を多く含むため、調理をしていないときに吸込む空気よりもフィルタの汚れの進行に大きな影響を与える。
【００２７】
そこで、ＳＴＥＰ４に示すように、吸込空気判別手段１３は、温度検知手段８から得られる信号と周囲温度検知手段９から得られる信号から周囲温度と吸込温度の比較を行なうこととなる。
【００２８】
そして、ＳＴＥＰ５に示すように、温度検知手段８から得られる信号が周囲温度検知手段９から得られる信号よりも大きいときは、つまり吸い込んだ空気の温度が周囲温度よりも高いときには、吸込口４を通過して吸込んだ空気が「調理中のものである」と判別し、小さいときつまり低いときは「調理中のものではない」と判別する。
【００２９】
さらに、吸込空気判別手段１３からの信号から吸込んだ空気が「調理中のものである」と判断した場合は、ＳＴＥＰ５に示すように、油煙を含む空気を吸込んでいると判断して汚れ種類の値として「Ｃ」の値を与え、「調理中のものでない」と判断した場合、油煙を含まない空気を吸込んでいると判断して汚れ種類の値に「Ｄ」の値を与える。
【００３０】
次に、汚れ程度判別手段１４は、ＳＴＥＰ３で粒子径検知手段７を用いて与えた粒子径の値と、ＳＴＥＰ５で与えた汚れ種類の値の組み合わせをもとに、吸込口４を通過した汚れに対して重み付けを行う。即ち、粒子径の値：Ａと汚れ種類の値：Ｃの時には（１）「吸込んだ汚れは粒子径が大きく、調理中のものである」と判断し、粒子径の値：Ａと汚れ種類の値：Ｄの時には（２）「吸込んだ汚れは粒子径が小さく、調理中のものである」と判断し、粒子径の値：Ｂと汚れ種類の値：Ｃの時には（３）「吸込んだ汚れは粒子径が大きく、調理中のものではない」と判断し、（４）「吸込んだ汚れは粒子径が小さく、調理中のものではない」と判断し、（１）＞（２）＞（３）＞（４）の順に重み付けを行うことで、フィルタの汚れ具合に即した汚れの程度を算出し、この汚れの程度をもとにして汚れ量を汚れ量記憶部１５にデータを累積する。
【００３１】
次に、ＳＴＥＰ７に示すように、ＳＴＥＰ６にて汚れ量を累積した時点で、汚れ量比較手段１６により汚れ量記憶部１５に累積された汚れ量が所定値を超えていないか判断する。
【００３２】
所定値を超えている場合にはフィルタの清掃要請時期が来たと判断して、ＳＴＥＰ８に示すように制御部１１によって報知手段１２にフィルタの清掃要請のための報知動作を行う信号を送り、フィルタ清掃要請のための報知動作を行い、超えていない場合にはフィルタは清掃時期に達していないと判断して吸込みを続けながらＳＥＴＰ１へ戻る。
【００３３】
報知手段１２が、フィルタ清掃要請のための報知動作を行うと、ＳＴＥＰ９に示すように、フィルタ清掃検知手段１０によりフィルタの清掃を実施したかどうか判断し、フィルタの清掃を行ったと判断した場合、フィルタがきれいな状態になったと判断する。また、フィルタの清掃が行われない場合は、再度、ＳＴＥＰ８に戻りフィルタ清掃要請の報知動作を継続する。
【００３４】
次に、フィルタの清掃が行われたと判断した場合、ＳＴＥＰ１０に示すように、制御部１１により報知手段１２へ報知動作を停止するための信号を送り、清掃要請のための報知動作を停止し、汚れ量初期化手段１７により汚れ量記憶部１５に累積されているフィルタの汚れ量をリセットして、フローのＳＴＡＲＴへ戻る。
【００３５】
以上のように、吸込口４を通過する汚れを検知することで、フィルタの汚れ量を把握し清掃要請を正確に報知することができる。
【産業上の利用可能性】
【００３６】
本発明にかかるレンジフードは、粒子径検知手段と温度検知手段からの信号を元に汚れの種類を判別して重み付けを行うことで、フィルタの清掃要請の報知動作を行うまでの時間を調整するという構成にしたことにより、使用者の使用状況に応じた汚れの程度を判別し、フィルタの清掃要請の報知動作までの時間を実際のフィルタの汚れの程度に即したものに調整することができるものであるので、レンジフードの使用状況に応じてフィルタの清掃時期を判断することが可能であり、従来の累積使用時間を元にフィルタの清掃時期を判断するレンジフードよりもフィルタの汚れ具合を正確に判断することが可能であり、使い勝手の良いレンジフードとして有用である。
【符号の説明】
【００３７】
１    レンジフード
２    加熱調理器
３    吐出口
４    吸込口
５    排気ファン
６    フィルタ
７    粒子径検知手段
８    温度検知手段
９    周囲温度検知手段
１０  フィルタ清掃検知手段
１１  制御部
１２  報知手段
１３  吸込空気判別手段
１４  汚れ程度判別手段
１５  汚れ量記憶部
１６  汚れ量比較手段
１７  汚れ量初期化手段
【図１】
2013061092.tif 000003
【図２】
2013061092.tif 000004
【図３】
2013061092.tif 000005